(57)【要約】【課題】作業効率に優れた高圧引下線用端末処理工具を提供する。【解決手段】端末処理工具１０は、一対の把持片９ａ・９ｂを有するホットスティック９を操作して、高圧の引下線Ｗを端末処理する。端末処理工具１０は、カッター１とストリッパー２を備える。カッター１は、第１回動軸１ｃで開閉自在に連結した一対の第１柄部１１・１２と引下線Ｗを切断可能な第１刃部１ａ・１ｂを有する。ストリッパー２は、第２回動軸２ｃで開閉自在に連結した一対の第２柄部２１・２２と引下線Ｗの被膜を剥離可能な第２刃部２ａ・２ｂを有する。端末処理工具１０は、一対の把持片９ａ・９ｂに取り付けられ、一対の第１柄部及び一対の第２柄部と回動可能に連結する一対の取り付け部材３ａ・３ｂと、第１回動軸と第２回動軸を同軸上に連結する連結軸４と、を備え、カッター１が引下線Ｗを切断すると共に、ストリッパー２が引下線Ｗの被膜を切断できる。【選択図】図１
2012196088.tif 000002
【特許請求の範囲】
【請求項１】
開閉する一対の把持片を先端部側に有するホットスティックを操作して、高圧の引下線を端末処理する高圧引下線用端末処理工具であって、
第１回動軸で開閉自在に連結した一対の第１柄部、及びこれらの第１柄部から延びて、前記引下線を切断可能な第１刃部を先端部に有するカッターと、
第２回動軸で開閉自在に連結した一対の第２柄部、及びこれらの第２柄部から延びて、前記引下線の被膜を剥離可能な半円弧状の第２刃部を先端部に有するストリッパーと、
一対の前記把持片に着脱自在に取り付けられ、一対の前記第１柄部の基端部及び一対の前記第２柄部の基端部と回動可能に連結する一対の取り付け部材と、
一対の前記第１刃部と一対の前記第２刃部が所定の距離で離間するように、前記第１回動軸と前記第２回動軸を同軸上に連結する連結軸と、を備え、
一対の前記把持片を閉じたときは、前記カッターが前記引下線を切断すると共に、前記ストリッパーが前記引下線の被膜を切断している高圧引下線用端末処理工具。
【請求項２】
一対の前記第１刃部の前記ストリッパーと反対側に取り付けられ、前記引下線の被膜をその両側から把持する一対のクランプを更に備え、
これらのクランプは、切断後の前記引下線が一対の前記第１刃部から脱落することを抑制する請求項１記載の高圧引下線用端末処理工具。
【請求項３】
前記ストリッパーは、前記引下線の被膜をその両側から当接して、前記引下線の被膜の切り込み深さを規定する凹字状の溝部を有する一対の切り込み深さ調整板を有し、
これらの切り込み深さ調整板は、前記第２刃部に隣接して配置されている請求項１又は２記載の高圧引下線用端末処理工具。
【請求項４】
開閉する一対の把持片を先端部側に有するホットスティックを操作して、高圧の引下線を端末処理する高圧引下線用端末処理工具であって、第１回動軸で開閉自在に連結した一対の第１柄部、及びこれらの第１柄部から延びて、前記引下線を切断可能な第１刃部を先端部に有するカッターと、第２回動軸で開閉自在に連結した一対の第２柄部、及びこれらの第２柄部から延びて、前記引下線の被膜を剥離可能な半円弧状の第２刃部を先端部に有するストリッパーと、一対の前記把持片に着脱自在に取り付けられ、一対の前記第１柄部の基端部及び一対の前記第２柄部の基端部と回動可能に連結する一対の取り付け部材と、一対の前記第１刃部と一対の前記第２刃部が所定の距離で離間するように、前記第１回動軸と前記第２回動軸を同軸上に連結する連結軸と、を備え、一対の前記把持片を閉じたときは、前記カッターが前記引下線を切断すると共に、前記ストリッパーが前記引下線の被膜を切断している高圧引下線用端末処理工具を用いて、高圧引下線用端末処理方法であって、
前記カッター及び前記ストリッパーが閉じられた状態において、別の前記ホットスティックを用いて切断側の前記引下線を把持すると共に、前記引下線の被膜が切断された側の当該引下線を前記ストリッパーから離間するように移動して、当該引下線の被膜を剥離する高圧引下線用端末処理方法。
【発明の詳細な説明】
【技術分野】
【０００１】
本発明は、高圧引下線用端末処理工具に関する。特に、電柱の上部に架設された高圧の配電線から柱上変圧器などに分岐する引下線を間接活線工法により、切断及び被覆を剥離するために好適な端末処理工具の構造に関する。
【背景技術】
【０００２】
例えば、電柱に設置された柱上変圧器又はカットアウト（遮断器）の取替作業では、ホットスティック（絶縁操作棒）を用いた間接活線工法により、高圧の配電線から分岐する引下線を切断している。そして、切断された引下線は、柱上変圧器又はカットアウトに再接続するために、ホットスティックを用いて、引下線の被覆を剥離する端末処理が実施されている。
【０００３】
図９は、上述したホットスティックの構成の一例を示す正面図である。図９を参照すると、ホットスティック９は、長尺の操作棒９１と把持工具９２で構成している。又、ホットスティック９は、作動棒９３を備えている。把持工具９２は、操作棒９１の先端部に着脱自在に取り付けられている。
【０００４】
図９を参照すると、把持工具９２は、開閉する一対の湾曲した把持片９ａ・９ｂで構成している。そして、一方の把持片９ａは、基端部が固定された固定片であり、他方の把持片９ｂは、一方の把持片９ａの基端部に設けた回動軸９ｃを中心に回動する可動片となっている。
【０００５】
図９を参照すると、作動棒９３は、操作棒９１に沿って保持されている。作動棒９３の先端部は、他方の把持片９ｂに回動可能に連結している。そして、作動棒９３の基端部に設けた操作レバー９４を操作すると、一方の把持片９ａに対して、他方の把持片９ｂを開閉できる。ホットスティック９は、操作棒９１及び作動棒９３の中間部が絶縁性を有するプラスチックパイプなどで連結され、間接活線工法に好適なように、絶縁性が確保されている。
【０００６】
図９に示されたホットスティック９は、高所に配置された引下線（電線）を一対の把持片９ａ・９ｂで把持できる、いわゆる「ヤットコ」になっている。又、一対の把持片９ａ・９ｂにカッター（切断工具）を取り付けて、引下線を切断することもでき、一対の把持片９ａ・９ｂにストリッパー（被膜剥離工具）を取り付けて、引下線の被覆を剥離することもできる。
【０００７】
上述したような、ヤットコの先端部に設ける端末処理工具としては、高圧の配電線から分岐した引下線の端末を間接活線工法的に迅速、かつ、確実に作業能率よく端末処理できるのみならず、端末処理時の感触が手に伝わって処理状態を確実に感知できる端末処理工具が開示されている（例えば、特許文献１参照）。
【０００８】
特許文献１による端末処理工具は、引下線などを端末処理すべく、両側一対の刃部を有する作用体が柄部を介して開閉自在に連結した工具本体と、開閉する一対の把持片の先端部に取り付けるべく、工具本体の一対の柄部にそれぞれ回動自在に連結した一対の取り付け部材で構成されている。
【先行技術文献】
【特許文献】
【０００９】
【特許文献１】特開２００３−２２４９１０号公報
【発明の概要】
【発明が解決しようとする課題】
【００１０】
しかしながら、特許文献１による端末処理工具は、引下線を切断するときには、一対の把持片９ａ・９ｂにカッターを取り付け、引下線の被覆を剥離するときには、カッターに替えて、一対の把持片９ａ・９ｂにストリッパーを取り付ける必要がある。
【００１１】
したがって、特許文献１による端末処理工具は、端末処理工具の交換に時間を要する作業効率の良くないものとなっている。間接活線工法において、引下線を端末処理するときに、作業効率に優れた端末処理工具が求められている。そして、以上のことが本発明の課題といってよい。
【００１２】
本発明は、このような課題に鑑みてなされたものであり、間接活線工法において、引下線を端末処理するときに、作業効率に優れた端末処理工具を提供することを目的とする。
【課題を解決するための手段】
【００１３】
本発明者らは、引下線を切断するカッターと引下線の被覆を剥離するストリッパーを一体に構成し、これらの端末処理工具をホットスティックの先端部に設けた一対の把持片に連結することにより、この課題が解決可能であると考え、これに基づいて、以下のような新たな高圧引下線用端末処理工具を発明するに至った。
【００１４】
（１）本発明による高圧引下線用端末処理工具は、開閉する一対の把持片を先端部側に有するホットスティックを操作して、高圧の引下線を端末処理する高圧引下線用端末処理工具であって、第１回動軸で開閉自在に連結した一対の第１柄部、及びこれらの第１柄部から延びて、前記引下線を切断可能な第１刃部を先端部に有するカッターと、第２回動軸で開閉自在に連結した一対の第２柄部、及びこれらの第２柄部から延びて、前記引下線の被膜を剥離可能な半円弧状の第２刃部を先端部に有するストリッパーと、一対の前記把持片に着脱自在に取り付けられ、一対の前記第１柄部の基端部及び一対の前記第２柄部の基端部と回動可能に連結する一対の取り付け部材と、一対の前記第１刃部と一対の前記第２刃部が所定の距離で離間するように、前記第１回動軸と前記第２回動軸を同軸上に連結する連結軸と、を備え、一対の前記把持片を閉じたときは、前記カッターが前記引下線を切断すると共に、前記ストリッパーが前記引下線の被膜を切断している。
【００１５】
（２）一対の前記第１刃部の前記ストリッパーと反対側に取り付けられ、前記引下線の被膜をその両側から把持する一対のクランプを更に備え、これらのクランプは、切断後の前記引下線が一対の前記第１刃部から脱落することを抑制することが好ましい。
【００１６】
（３）前記ストリッパーは、前記引下線の被膜をその両側から当接して、前記引下線の被膜の切り込み深さを規定する凹字状の溝部を有する一対の切り込み深さ調整板を有し、これらの切り込み深さ調整板は、前記第２刃部に隣接して配置されていることが好ましい。
【００１７】
（４）本発明による高圧引下線用端末処理方法は、開閉する一対の把持片を先端部側に有するホットスティックを操作して、高圧の引下線を端末処理する高圧引下線用端末処理工具であって、第１回動軸で開閉自在に連結した一対の第１柄部、及びこれらの第１柄部から延びて、前記引下線を切断可能な第１刃部を先端部に有するカッターと、第２回動軸で開閉自在に連結した一対の第２柄部、及びこれらの第２柄部から延びて、前記引下線の被膜を剥離可能な半円弧状の第２刃部を先端部に有するストリッパーと、一対の前記把持片に着脱自在に取り付けられ、一対の前記第１柄部の基端部及び一対の前記第２柄部の基端部と回動可能に連結する一対の取り付け部材と、一対の前記第１刃部と一対の前記第２刃部が所定の距離で離間するように、前記第１回動軸と前記第２回動軸を同軸上に連結する連結軸と、を備え、一対の前記把持片を閉じたときは、前記カッターが前記引下線を切断すると共に、前記ストリッパーが前記引下線の被膜を切断している高圧引下線用端末処理工具を用いて、高圧引下線用端末処理方法であって、前記カッター及び前記ストリッパーが閉じられた状態において、別の前記ホットスティックを用いて切断側の前記引下線を把持すると共に、前記引下線の被膜が切断された側の当該引下線を前記ストリッパーから離間するように移動して、当該引下線の被膜を剥離する。
【発明の効果】
【００１８】
本発明による高圧引下線用端末処理工具は、引下線を切断可能なカッターと引下線の被膜を剥離可能なストリッパーを備え、これらの端末処理工具をホットスティックの先端部に設けた一対の把持片に連結し、一対の把持片を閉じたときは、カッターが引下線を切断すると共に、ストリッパーが引下線の被膜を切断できるので、端末処理工具を交換する必要がなく、作業効率に優れている。
【図面の簡単な説明】
【００１９】
【図１】本発明の一実施形態による高圧引下線用端末処理工具の構成を示す図であり、図１（Ａ）は、図１（Ｂ）のＡ−Ａ矢視断面図、図１（Ｂ）は高圧引下線用端末処理工具の正面図である。
【図２】図１の左側面図であり、高圧引下線用端末処理工具に備わるカッターが開いた状態図である。
【図３】図２のＡ矢視図である。
【図４】前記実施形態による高圧引下線用端末処理工具に備わるカッターの第１刃部を部分的に示す図であり、図４（Ａ）は、第１刃部を拡大した平面図、図４（Ｂ）は、図４（Ａ）のＡ−Ａ矢視断面図である。
【図５】図１の左側面側から観た斜視図であり、高圧引下線用端末処理工具に備わるカッターが閉じた状態図である。
【図６】図１の右側面図であり、高圧引下線用端末処理工具に備わるストリッパーが開いた状態図である。
【図７】図１の右側面図であり、高圧引下線用端末処理工具に備わるストリッパーが閉じた状態図である。
【図８】図７のＡ−Ａ矢視断面を拡大した図である。
【図９】ホットスティックの構成の一例を示す正面図である。
【発明を実施するための形態】
【００２０】
以下、図面を参照して本発明を実施するための形態を説明する。
［高圧引下線用端末処理工具の構成］
最初に、本発明の一実施形態による高圧引下線用端末処理工具の構成を説明する。図１は、本発明の一実施形態による高圧引下線用端末処理工具の構成を示す図であり、図１（Ａ）は、図１（Ｂ）のＡ−Ａ矢視断面図、図１（Ｂ）は高圧引下線用端末処理工具の正面図である。
【００２１】
図２は、図１の左側面図であり、高圧引下線用端末処理工具に備わるカッターが開いた状態図である。図３は、図２のＡ矢視図である。図４は、前記実施形態による高圧引下線用端末処理工具に備わるカッターの第１刃部を部分的に示す図であり、図４（Ａ）は、第１刃部を拡大した平面図、図４（Ｂ）は、図４（Ａ）のＡ−Ａ矢視断面図である。図５は、図１の左側面側から観た斜視図であり、高圧引下線用端末処理工具に備わるカッターが閉じた状態図である。
【００２２】
図６は、図１の右側面図であり、高圧引下線用端末処理工具に備わるストリッパーが開いた状態図である。図７は、図１の右側面図であり、高圧引下線用端末処理工具に備わるストリッパーが閉じた状態図である。図８は、図７のＡ−Ａ矢視断面を拡大した図である。なお、従来技術で使用した符号と同一の符号を有する構成品は、その作用を同一とするので、以下の説明では割愛する場合がある。
【００２３】
（高圧引下線用端末処理工具の全体構成）
図１又は図２及び図６を参照すると、本発明の一実施形態による高圧引下線用端末処理工具（以下、端末処理工具と略称する）１０は、開閉する一対の把持片９ａ・９ｂを先端部側に有するホットスティック９を操作して（図９参照）、高圧の引下線Ｗを端末処理できる。そして、端末処理工具１０は、カッター１とストリッパー２を備えている。
【００２４】
図１又は図２及び図５を参照すると、カッター１は、一対の第１柄部１１・１２と一対の第１刃部１ａ・１ｂを有している。一対の第１柄部１１・１２は、第１回動軸１ｃで開閉自在に連結している。又、一対の第１刃部１ａ・１ｂは、第１回動軸１ｃから延びた先端部に形成されている。一対の第１柄部１１・１２の基端部を閉じると、一対の第１刃部１ａ・１ｂが閉じて、引下線Ｗを切断できる。
【００２５】
図１又は図６及び図７を参照すると、ストリッパー２は、一対の第２柄部２１・２２と一対の半円弧状の第２刃部２ａ・２ｂを有している。一対の第２柄部２１・２２は、第２回動軸２ｃで開閉自在に連結している。又、一対の第２刃部２ａ・２ｂは、第２回動軸２ｃから延びた先端部に形成されている。一対の第２柄部２１・２２の基端部を閉じると、一対の第２刃部２ａ・２ｂが閉じて、引下線Ｗの被膜を剥離できる。
【００２６】
図１又は図２及び図５を参照すると、端末処理工具１０は、一対の取り付け部材３ａ・３ｂと連結軸４を更に備えている。一対の取り付け部材３ａ・３ｂは、一対の把持片９ａ・９ｂに着脱自在に取り付けられている。又、一対の取り付け部材３ａ・３ｂは、一対の第１柄部１１・１２の基端部に設けた第３回動軸１ｄ・１ｄで回動自在に連結している。一方、図１又は図６及び図７を参照すると、一対の取り付け部材３ａ・３ｂは、一対の第２柄部２１・２２の基端部に設けた第４回動軸２ｄ・２ｄで回動自在に連結している。
【００２７】
図１を参照すると、連結軸４は、一対の第１刃部１ａ・１ｂと一対の第２刃部２ａ・２ｂが所定の距離で離間するように、第１回動軸１ｃと第２回動軸２ｃを同軸上に連結している。そして、端末処理工具１０は、一対の把持片９ａ・９ｂを閉じたときは、カッター１が引下線Ｗを切断すると共に、ストリッパー２が引下線Ｗの被膜を切断できる。
【００２８】
（カッターの構成）
次に、実施形態によるカッター１の構成を説明する。図２又は図５を参照すると、第１柄部１１は、帯状に伸長した鋼板などからなり、例えば、焼入れされた第１刃部１ａを先端部側に形成している。同様に、第１柄部１２は、帯状に伸長した鋼板などからなり、例えば、焼入れされた第１刃部１ｂを先端部側に形成している。
【００２９】
図２又は図５を参照すると、第１柄部１１と第１柄部１２は、第１回動軸１ｃの中心を交点として交差しているが、第１回動軸１ｃの中心から一対の第１柄部１１・１２の基端部までの距離が一対の第１刃部１ａ・１ｂまでの距離より長い「梃子装置」を構成している。つまり、操作レバー９４（図９参照）を操作する力より、強い力で一対の第１刃部１ａ・１ｂが引下線Ｗを切断できる。
【００３０】
図２又は図３を参照すると、端末処理工具１０は、一対のクランプ１３・１４を更に備えている。クランプ１３は、第１刃部１ａの側面に設置されている。同様に、クランプ１４は、第１刃部１ｂの側面に設置されている。一対のクランプ１３・１４は、一対の第１刃部１ａ・１ｂのストリッパー２と反対側の側面に設置されている（図１参照）。
【００３１】
図２又は図３を参照すると、クランプ１３は、アングル部材１３ａ、プッシュバー１３ｂ、圧縮コイルばね１３ｓ、及び把持ブロック１３ｃで構成している。同様に、クランプ１４は、アングル部材１４ａ、プッシュバー１３ｂ、圧縮コイルばね１４ｓ、及び把持ブロック１４ｃで構成している。
【００３２】
図２又は図３を参照すると、アングル部材１３ａは、その一片が第１刃部１ａの側面にビスで固定されている。又、アングル部材１３ａは、その他片がプッシュバー１３ｂを進退自在に片持ち支持している。プッシュバー１３ｂの先端部には、把持ブロック１３ｃを支持している。圧縮コイルばね１３ｓは、プッシュバー１３ｂに介装され、把持ブロック１３ｃがアングル部材１３ａの他片から離間する力を付勢している。なお、クランプ１４は、クランプ１３と同様に構成されているので、説明を省略する。
【００３３】
図２又は図３を参照すると、一対の把持ブロック１３ｃ・１４ｃは、対向配置されている。図５に示されるように、一対の第１刃部１ａ・１ｂを閉じて、引下線Ｗを切断すると、一対の把持ブロック１３ｃ・１４ｃは、引下線Ｗの被膜をその両側から把持することができる。そして、一対のクランプ１３・１４は、切断後の引下線Ｗが一対の第１刃部１ａ・１ｂから脱落することを抑制できる。
【００３４】
図４を参照すると、第１刃部１ａは、その刃先を鋭角に形成する共に、刃先の斜面と反対面に曲面状に窪んだ逃げ部１ｍを設けることによって、引下線Ｗの被覆が硬い材質であっても、鋭利に切断できるよう工夫している。又、第１刃部１ａの刃先を緩やかな円弧で形成することにより、切断後の引下線Ｗの導体の切断面が略円形を維持できるように工夫している。なお、第１刃部１ｂの刃先も同様に形成され、一対の第１刃部１ａ・１ｂの刃先が協働して、引下線Ｗの切り口を平坦に切断できる。
【００３５】
（ストリッパーの構成）
次に、実施形態によるストリッパー２の構成を説明する。図６から図８を参照すると、第２柄部２１は、横断面が方形に形成された伸展した鋼材などからなり、第２回動軸２ｃで連結した部位から先が屈折して、引下線Ｗを把持可能な把持部（ジョー）２３を形成している。同様に、第２柄部２２は、横断面が方形に形成された伸展した鋼材などからなり、第２回動軸２ｃで連結した部位から先が屈折して、引下線Ｗを把持可能な把持部（ジョー）２４を形成している。
【００３６】
図６又は図７を参照すると、第２柄部２１と第２柄部２２は、第２回動軸２ｃの中心を交点として交差している。例えば、第２回動軸２ｃは、第２柄部２１に圧入された円柱状のピポッド（軸）からなり、このピポッドに第２柄部２２の交差部が回転結合している。
【００３７】
図７又は図８を参照すると、第２刃部２ａは、実体として、焼入れされた鋼板２ｐの一辺に半円弧状に形成された溝で形成されている。同様に、第２刃部２ｂは、実体として、焼入れされた鋼板２ｐの一辺に半円弧状に形成された溝で形成されている。そして、図７に示されるように、一対の第２刃部２ａ・２ｂが一対の把持部２３・２４に分割配置され、一対の把持部２３・２４が閉じたときに、これらの第２刃部２ａ・２ｂで引下線Ｗの被膜を切断できる。
【００３８】
図８を参照すると、実施形態によるストリッパー２は、一対の切り込み深さ調整板２ｔ・２ｔを一対の把持部２３・２４に備えている。これらの切り込み深さ調整板２ｔ・２ｔは、引下線Ｗの被膜をその両側から当接して、引下線Ｗの被膜の切り込み深さを規定する凹字状の溝部２ｍ・２ｍを有している（図６又は図７参照）。
【００３９】
図８を参照すると、一対の切り込み深さ調整板２ｔ・２ｔは、一対の第２刃部２ａ・２ｂに隣接して配置されている。実態として、切り込み深さ調整板２ｔは、一対の把持部２３・２４に設けた段差部に、鋼板２ｐに共にねじ止めされている。
【００４０】
［高圧引下線用端末処理工具の作用］
次に、実施形態による端末処理工具１０を用いた端末処理方法を説明しながら、端末処理工具１０の作用及び効果を説明する。
【００４１】
図１又は図２及び図６を参照して、カッター１及びストリッパー２を開いた状態で、一対の取り付け部材３ａ・３ｂをホットスティック９の先端部側に設けた一対の把持片９ａ・９ｂに予め取り付けておく（図９参照）。次に、一対の第１刃部１ａ・１ｂ及び一対の第２刃部２ａ・２ｂが引下線Ｗを跨ぐように、端末処理工具１０を引下線Ｗに向かって押し上げる。
【００４２】
なお、図１に示された引下線Ｗは、柱上変圧器又はカットアウトを左側に接続し、配電線を右側に接続しているので、カッター１を左側に配置し、ストリッパー２を右側に配置しておくことが好ましい。
【００４３】
次に、図１を参照して、ホットスティック９の操作レバー９４を操作して（図９参照）、一対の把持片９ａ・９ｂを閉じると、カッター１が引下線Ｗを切断すると共に、ストリッパー２が引下線Ｗの被膜を切断できる。この場合、別のホットスティック９を用いて、カッター１の左側の引下線Ｗを把持しておくことが好ましく、一対のクランプ１３・１４（図２又は図３参照）と協働して、引下線Ｗが脱落することを確実に防止できる。
【００４４】
次に、図１を参照して、引下線Ｗの被膜が切断された右側の引下線Ｗをストリッパー２から離間するように移動すると、引下線Ｗの被膜を剥離することができる。
【００４５】
実施形態による端末処理工具１０は、高圧の引下線Ｗをカッター１で切断すると同時に、負荷側の引下線Ｗを一対のクランプ１３・１４を把持でき、配電線側の引下線Ｗの被膜を剥離できる。したがって、従来のように、端末処理工具を交換することなく、引下線Ｗを切断するための切断作業と引下線Ｗの被覆を剥離する剥離作業が、一つの端末処理工具で安全かつ迅速に実施できる。
【００４６】
本発明による高圧引下線用端末処理工具及び高圧引下線用端末処理方法は、以下の効果が期待できる。
（１）作業効率が向上するので、柱上変圧器又はカットアウトの取替作業に起因する停電時間を短縮できる。
（２）一つの工具で引下線を把持又は切断、及び被覆の剥離を実施できる。
（３）ホットスティックを用いて、端末処理工具で引下線を把持又は切断、及び被覆の剥離を実施できるので、引下線の脱落を防止でき安全である。
（４）曲がり癖のついた引出線の被覆を確実に剥離できるので、作業効率に優れる。
【００４７】
本発明は、高圧の引下線に好適な端末処理工具を開示したが、これに限定されない。本発明による端末処理工具は、低圧の電線に応用することもでき、光ファイバケーブルに応用することも可能である。
【符号の説明】
【００４８】
１  カッター
１ａ・１ｂ  一対の第１刃部
１ｃ  第１回動軸
２  ストリッパー
２ａ・２ｂ  一対の第２刃部
２ｃ  第２回動軸
３ａ・３ｂ  一対の取り付け部材
４  連結軸
９  ホットスティック
９ａ・９ｂ  一対の把持片
１０  端末処理工具（高圧引下線用端末処理工具）
１１・１２  一対の第１柄部
２１・２２  一対の第２柄部
Ｗ  引下線
【図１】
2012196088.tif 000003
【図２】
2012196088.tif 000004
【図３】
2012196088.tif 000005
【図４】
2012196088.tif 000006
【図５】
2012196088.tif 000007
【図６】
2012196088.tif 000008
【図７】
2012196088.tif 000009
【図８】
2012196088.tif 000010
【図９】
2012196088.tif 000011